(57)【特許請求の範囲】
【請求項１】
レンズと、該レンズと投影面との間に介設されたミラーとを光軸方向に移動して、原稿面からレンズまでの距離及びレンズから投影面までの距離を変化させて投影像の拡大倍率を可変とする変倍光学装置において、前記変倍光学装置のハウジング内に収容され前記レンズを保持するレンズホルダと、前記レンズホルダを覆う遮光カバーと、前記レンズホルダが拡大倍率の位置まで移動した時に該レンズホルダと前記遮光カバーとの間に形成される隙間から侵入する不要光を遮断するために、前記レンズホルダの移動に合わせてスライドするスライドカバーと、を備えて構成され、
前記レンズホルダには、前記スライドカバーのスライド方向に直交する方向の両端とレンズホルダとの間で摺動可能に保持する保持部材が設けられ、
前記スライドカバーには、前記レンズホルダが前記拡大倍率の位置に移動する時に、前記遮光カバーに形成された被当接部に当接して、スライドカバーをミラー方向へ突出させる当接部が形成され、
前記スライドカバーは、該レンズホルダの移動方向と平行な方向に相対移動可能であり、前記スライドカバーは、前記レンズホルダが前記拡大倍率の位置にある時には前記レンズホルダから前記ミラー側に向けて突出した状態で前記保持部材により保持され、前記レンズホルダが縮小倍率の位置にある時には前記突出した状態から押し戻された状態で保持されること、
を特徴とする変倍光学装置。
【請求項２】
前記レンズホルダの上部には、前記ミラー方向へ所定量延びる延出部が形成されていること、を特徴とする請求項１に記載の変倍光学装置。
【請求項３】
前記当接部は、前記スライドカバーの一端部を屈曲して形成されていること、を特徴とする請求項１または２に記載の変倍光学装置。
【請求項４】
前記被当接部は、前記遮光カバーの一端縁から前記当接部の移動経路に向けて突出形成されていること、を特徴とする請求項３に記載の変倍光学装置。
【発明の詳細な説明】
【０００１】
【発明の属する技術分野】
本発明は、複写機等で用いられる変倍光学装置に関し、より詳細には、変倍光学装置外部からの不要光を遮断するための遮光カバーを備えた変倍光学装置に関するものである。
【０００２】
【従来の技術】
従来より、複写機等で用いられる変倍光学装置として、原稿の像を投影面に結像させるレンズと、レンズと投影面との間に設けられたミラーとを備え、レンズとミラーを夫々光軸方向に移動し、原稿面からレンズまでの距離及びレンズから投影面までの距離を変化させることによって、投影像の拡大倍率を可変とするものが知られている。
【０００３】
図１２に、複写機に用いられる変倍光学装置の基本構成の一例を示す。
走査ミラー８により読み取られた原稿Ｄの像は、レンズ３によって感光ドラム１７上に結像される。レンズ３と感光ドラム１７との間には、二枚のミラーを互いのなす角を９０°として対向配置して光路を反転させるミラー部１２が設けられ、レンズ３とミラー部１２を夫々光軸方向に移動することによって、原稿面からレンズ３までの距離及びレンズ３から投影面までの距離が変化し、感光ドラム表面上に結像する投影像の拡大倍率が変化する。
【０００４】
一方、原稿読み取り中の走査ミラー８とレンズ３との距離を一定に保つため、走査ミラー８とレンズ３との間には、二枚のミラーを互いのなす角を９０°として対向配置して光路を反転させる中間ミラー部６が設けられている。この中間ミラー部６は走査ミラー８の移動に応じて移動される。
【０００５】
レンズ３とミラー部１２は、外部からの不要光を遮断するハウジング２０の内部に収容されている。ハウジング２０の上方には、原稿Ｄを照射するための光源（図示せず）が位置するため、ハウジング２０の上部は光源からの不要光を遮断する遮光カバー２１となっている。また、ハウジング２０の光軸方向の一端は開口端となっており、当該開口はレンズ３を保持するレンズホルダ（図示せず）によって塞がれるよう構成されている。一方、ハウジング２０の光軸方向他端は閉塞端となっている。
【０００６】
しかしながら、遮光カバー２１は、前記の中間ミラー部６との衝突を避けるため、レンズ３の移動範囲を覆う長さよりも短く形成される。そのため、レンズホルダが遮光カバー２１の外に位置する時には、レンズホルダと遮光カバーとの間に隙間ができるという問題点があった。
そこで、従来より、レンズホルダに閉塞端側に突出した遮光板（図示せず）を固定し、レンズホルダが遮光カバー２１の外に位置する時に、レンズホルダと遮光カバー２１との間の隙間を遮光板で塞ぐよう構成していた。
【０００７】
【発明が解決しようとする課題】
しかしながら、このような変倍光学装置では、レンズホルダを閉塞端側に移動させた際に、レンズホルダに固定された遮光板がハウジングの閉塞端と干渉するため、それだけハウジングを大きくしなければならないという問題点があった。
【０００８】
本発明は、上記の事情に鑑み、変倍光学装置内への不要光の侵入を防止すると共に、装置構成を小さくすることができる変倍光学装置を提供することを目的とするものである。
【０００９】
【課題を解決するための手段】
上記の目的を達成するために、本発明の変倍光学装置は、ハウジング内に収容されレンズを保持するレンズホルダと、レンズホルダを覆う遮光カバーと、レンズホルダが拡大倍率の位置まで移動した時に該レンズホルダと遮光カバーとの間に形成される隙間から侵入する不要光を遮断するために、レンズホルダあるいは遮光カバーのいずれか一方に設けられ、レンズホルダの移動に合わせてスライドするスライドカバーと、を備えて構成されたものである。
【００１０】
このように構成されているため、レンズホルダが拡大倍率の位置にある時には、レンズホルダと遮光カバーとの間に形成される隙間から侵入する不要光をスライドカバーによって遮断することができる。さらに、スライドカバーがレンズホルダの移動に合わせてスライドするため、レンズホルダを縮小倍率の位置まで移動させた際の、スライドカバーとハウジングの壁（閉塞端）等との干渉が防止される。即ち、ハウジングをそれだけコンパクトに構成することが可能となる。
【００１１】
なお、上記のスライドカバーをレンズホルダに設け、該レンズホルダの移動方向に平行に相対移動可能とすると共に、スライドカバーを、レンズホルダが拡大倍率の位置にある時にはレンズホルダから突出した状態で保持し、レンズホルダが縮小倍率の位置にある時には突出位置から押し戻された状態で保持することができる。このように構成されているため、レンズホルダを縮小倍率の位置まで移動させた際には、スライドカバーがハウジングの壁等に当接して、突出位置から元の位置に押し戻され、ハウジングの壁等との干渉が防止される。
【００１２】
さらに、レンズホルダには、スライドカバーの突出方向に沿って所定量延びる延出部を形成することも可能である。このように構成することによって、スライドカバーの移動方向の長さを短くすることができる。
【００１３】
また、スライドカバーには、レンズホルダが拡大倍率の位置に移動する時に、遮光カバーに設けられた被当接部に当接する当接部を形成することもできる。当接部はスライドカバーの一端部を屈曲して形成され、被当接部は遮光カバーの一端縁から当接部の移動経路に向けて突出形成される。このように構成することにより、レンズホルダの位置に応じたスライドカバーのスライドを簡単な構成で行うことができる。
【００１４】
なお、上記のスライドカバーを遮光カバーに設け、該レンズホルダの移動方向に平行に相対移動可能とすると共に、スライドカバーを、レンズホルダが拡大倍率の位置にある時には遮光カバーから突出した状態で保持し、レンズホルダが縮小倍率の位置にある時には突出位置から押し戻され得るよう保持することもできる。このように構成されているため、レンズホルダを縮小倍率の位置にある時には、スライドカバーが、複写機等における原稿走査用の可動部材（中間ミラー等）に当接して突出位置から元の位置に押し戻され、当該可動部材との干渉が防止される。
【００１５】
さらに、スライドカバーには、レンズホルダが拡大倍率の位置に移動する時に、レンズホルダに形成された当接部が当接する被当接部を形成することも可能である。被当接部はスライドカバーの一端部を屈曲して形成され、当接部はレンズホルダの一端縁から被当接部の移動経路に向けて突出形成される。また、スライドカバーは、遮光カバーに設けられたスロット部位によってスライド可能に保持しても良い。このように構成することにより、スライドカバーのスライドを簡単な構成で行うことができる。
【００１６】
【発明の実施の形態】
以下、本発明の実施形態を図面を参照して説明する。
まず、本発明に係る変倍光学装置の基本構成について、図１及び図２を参照して説明する。
図１は、変倍光学装置の基本構成を示す概略図である。
原稿を載置するための透明板である原稿台１０の下方には、一方向（紙面に直交する方向）に延びる走査ミラー８が設けられている。走査ミラー８は原稿を照射する移動光源（図示せず）と共に原稿面に沿って移動する。移動光源により照射された原稿Ｄの像は、走査ミラーによりスリット状に順次読み取られ、結像レンズ３によって投影面である感光ドラム１７の表面に結像する。そして、走査ミラー８が原稿面に沿って（図中左右方向に）移動し、それに伴って感光ドラム１７が回転することにより、感光ドラム１７の表面に二次元潜像が形成される。
【００１７】
原稿読み取りの際には、停止しているレンズ３に対し、走査ミラー８は原稿面に沿って移動する。そのため、原稿読み取り中のレンズ３と走査ミラー８との距離を一定に保つために、走査ミラー８とレンズ３との間には、二枚のミラー５，７を互いのなす角を９０°として対向配置して光路を反転させる中間ミラー部６が設けられている。そして、走査ミラー８の半分の移動速度で中間ミラー部６を移動させることにより、原稿読み取り時の走査ミラー８とレンズ３との距離が一定に保たれる。
【００１８】
レンズ３と感光ドラム１７との間には、二枚のミラー１１，１３を互いのなす角を９０°として対向配置して光路を反転させるミラー部１２が設けられている。ミラー部１２からの光路は、ミラー１５により感光ドラム１７に向けて偏向される。レンズ３は固定焦点距離のレンズであり、レンズ３及びミラー部１２を夫々光軸方向に移動し、原稿面からレンズ３までの距離及びレンズから投影面までの距離を変化させることによって、投影像の拡大倍率が変化する。
【００１９】
なお、図１に示す基本構成においては、レンズ３及びミラー部１２（ミラー１１，１３）が変倍光学装置を構成する要素であり、原稿台１０、走査ミラー８、中間ミラー部６及び感光ドラム１７は複写機を構成する要素である。
【００２０】
図１に示す様に、結像レンズ３は、拡大倍率２．０倍の位置から拡大倍率０．５倍までの範囲で移動する。また、ミラー部１２（ミラー１１，１３）は、図中実線で示す拡大倍率１．０倍の位置から、図中二点鎖線で示す拡大倍率２．０倍又は０．５倍までの範囲で移動する。このように、結像レンズ３とミラー部１２を光軸方向に移動させることによって、投影像の拡大倍率を２倍から０．５倍まで変えることができる。
【００２１】
結像レンズ３とミラー部１２は、外部からの不要光を遮断するハウジング２０に収容されている。図２に変倍光学装置におけるハウジング２０を示す。ハウジング２０の光軸方向の両端のうち、一端（中間ミラー部６側）は開口端２２として構成され、他端は閉塞端２４として構成されている。また、ハウジング２０の上部を構成するパネルは、原稿を照射する移動光源からの不要光を遮断する遮光カバー２１を形成している。
【００２２】
また、ハウジング２０の底部は支持基板２３を形成しており、支持基板２３上には、レンズ３を保持するレンズホルダ３０及びミラー部１２のミラー１１，１３を保持するミラーホルダ４０が設けられている。
【００２３】
次に、本発明の変倍光学装置の第１の実施形態について説明する。
図３は変倍光学装置の第１の実施形態を示す平面図である。なお、図３は拡大倍率１．０倍の状態を示している。
また、図３では、矢印Ｃで示す領域を覆う遮光カバー２１（図２）を取り外して示す。また、矢印Ｘはレンズ３を通過する光軸を示す。
【００２４】
図３に示すように、ハウジング２０の支持基板２３上には、レンズ３を搭載したレンズホルダ３０と、レンズホルダ３０を駆動するレンズ駆動機構５０と、ミラー部１２（ミラー１１，１３）を搭載したミラーホルダ４０と、ミラーホルダ４０を駆動するミラー駆動機構６０が設けられている。レンズ３及びミラー１１，１３は、光軸がハウジング２０の図中上下方向の中心を通り、光軸方向がハウジング２０の図中左右方向と一致するように夫々配置される。
【００２５】
まず、レンズホルダ３０を移動させるための構成について説明する。
レンズホルダ３０は、図中上下方向に長い直方体形状の本体３１を持ち、本体内部にレンズ３を保持している。
また、レンズホルダ３０を光軸方向（図中左右方向）に移動案内するため、支持基板２３には光軸方向に延びる第１のガイドロッド５８が設けられ、レンズホルダ３０の長手方向の一端には第１ガイドロッド５８を挿通する挿通孔を有するアーム３２が形成されている。即ち、レンズホルダ３０はアーム３２の挿通孔と第１ガイドロッド５８との摺動によって、光軸方向に移動可能となる。
【００２６】
なお、レンズホルダ３０が、移動中に光軸Ｘに対して傾斜しないよう、レンズホルダ３０のアーム３２と反対側の端部には、支持基板２３に形成された光軸方向に延びるレール溝３３（図４）に摺動可能に係合する突起３４が形成されている。
【００２７】
ガイドロッド５８の両端近傍には、ワイヤ５６が掛け渡された一対の従動プーリ５９，５９が設けられ、ワイヤ５６の両端５６ａ，５６ｂはアーム３２に夫々固定されている。また、支持基板２３には、ワイヤ５６を巻回した駆動プーリ５１が設けられている。駆動プーリ５１には、駆動プーリ５１とほぼ同一の外径を持つギア５２が同軸上に重ねられて固定されている。また、レンズホルダ３０を駆動するためのレンズ駆動モータ５５は支持基板２３の下側に取り付けられ、支持基板２３上にモータ５５の出力軸を突出させている。当該出力軸にはピニオン５４が固定され、ピニオン５４はギア５２に係合している。かくして、レンズ駆動モータ５５の回転により、駆動プーリ５１及びワイヤー５６を介してレンズホルダ３０が第１ガイドロッド５８に沿って移動する。
【００２８】
次に、ミラーホルダ４０を移動するための機構について説明する。
ミラーホルダ４０は、図中上下方向に延びる２枚のミラー１１，１３互いのなす角を９０°として対向させ（図２）、夫々長手方向両端を側板４２，４２によって支持している。側板４２，４２は、図中上下方向に延びる平板状部材４４に立設されている。
【００２９】
支持基板２３を上下に貫通する（図２）ミラーホルダ４０の移動を可能にするため、支持基板２３にはミラーホルダ４０の移動範囲に亘って開口４１が形成されている。また、支持基板２３には、ミラーホルダ４０を光軸方向に移動案内するための第２のガイドロッド６８が設けられ、ミラーホルダ４０には第２ガイドロッド６８を挿通するブラケット部４６が設けられている。そして、レンズホルダ４０は、ガイドロッド６８とブラケット部４６の摺動により、光軸方向に移動案内される。
【００３０】
支持基板２３上には、ミラーホルダ４０を移動させるための駆動プーリ６１が設けられている。駆動プーリ６１にはワイヤ６６が掛け渡され、ワイヤ６６の一端６６ａはミラーホルダ４０に固定され、他端６６ｂは支持基板２３に設けられた固定プーリ４８により半転した後、コイルスプリング６９を介して、他端６６ｃにおいてミラーホルダ４０に固定されている。
【００３１】
ミラーホルダ４０を移動させるためのミラー駆動モータ６５は支持基板２３の下側に取り付けられ、支持基板２３上に出力軸を突出させている。当該出力軸にはピニオン６４が固定され、ピニオン６４は中間ギア６３を介して、駆動プーリ６１に固定されたギア６２に係合している。かくして、ミラー駆動モータ６５の回転により、駆動プーリ６１及びワイヤー６６を介してミラーホルダ４０が第２ガイドロッド６８に沿って移動する。
【００３２】
次に、変倍光学装置における遮光のための構成について説明する。
実施形態の複写機では、原稿が最大のＡ３サイズの時に、中間ミラー部６が図１に二点鎖線で示す位置まで（即ち移動範囲一杯に）移動する。そのため、図２に示すように、遮光カバー２１を中間ミラー部６の移動範囲と干渉しない長さにする必要があり、遮光カバー２１はレンズ３の移動範囲よりも短くなる。
【００３３】
つまり、拡大倍率が１．０倍以下の時には、レンズホルダ３０は遮光カバー２１に覆われているが、拡大倍率が２．０倍の時には、レンズホルダ３０は遮光カバー２１の外に位置するため、遮光カバー２１とレンズホルダ３０との間には隙間ができる。なお、原稿が最大のＡ３サイズの時には、拡大倍率は１．０倍以下である（実施形態の複写機はＡ３以上の用紙に複写する構成になっていないため）ため、中間ミラー部６とレンズホルダ３０とが干渉することは無い。
【００３４】
なお、図３において、レンズホルダ３０に対し図中上方に設けられるミラー駆動機構６０のための空間からの迷光の侵入を防ぐため、支持基板２３には側方カバー２６が立設されている。
【００３５】
図４は、拡大倍率が２．０倍の時のハウジング２０の開口２２とレンズホルダ３０を示す斜視図である。前述のとおり、拡大倍率が２．０倍の時には、レンズホルダ３０の本体３１が遮光カバー２１の外に位置する。
この時、レンズホルダ３０の本体と遮光カバー２１との隙間からの不要光の侵入を防ぐため、レンズホルダ３０には光軸方向に移動可能なスライドカバー３５が設けられる。
【００３６】
スライドカバー３５は、レンズホルダ３０の上面３６のほぼ２倍の面積を持つ板状部材で構成されている。また、レンズホルダ３０の上面３６において光軸方向に直交する方向の両端には、先端が上面３６と平行に屈曲された一対の板状の小片である保持部材３７が設けられ、スライドカバー３５は保持部材３７の屈曲部と上面３６との間で光軸方向に移動可能に支持される。
【００３７】
さらに、スライドカバー３５の図中光軸方向奥側の端部は、上方に向けて屈曲され当接部３８となっている。また、開口２２の上端を規定する遮光カバー２１の端縁の、当接部３８に対応する箇所には、開口内に向けて突出する被当接部２５が設けられている。
【００３８】
図５に、拡大倍率を変化させた場合のスライドカバー３５の作動を示す。
拡大倍率２．０倍の時には、レンズホルダ３０が開口２２から外に移動する際に、スライドカバー３５の当接部３８が遮光カバーの被当接部２５に当接するため、レンズホルダ３０が拡大倍率２．０倍の位置まで移動するのに対し、スライドカバー３５はそのままの位置に保持され、レンズホルダ３０の上面３６から閉塞端２４に向けて突出する。突出したスライドカバー３５が、レンズホルダ３０と遮光カバー２１との間に形成される隙間を塞ぎ、当該隙間からの不要光の侵入を遮断する。
【００３９】
拡大倍率が１．０倍の時には、スライドカバー３５の当接部３８が他の部材と当接することがないためスライドカバー３５の位置はそれ以前の状態と同じである。この場合には、ハウジング２０内に位置するレンズホルダ３０自体が開口２２を塞ぐことによって不要光の侵入を遮断する。
【００４０】
拡大倍率が０．５倍の時には、スライドカバー３５の当接部３８はハウジング２０の閉塞端２４に当接し、スライドカバー３５は、突出位置からレンズホルダ３０の上面３６上に押し戻される。この場合も、ハウジング２０内に位置するレンズホルダ３０が不要光の侵入を遮断する。
【００４１】
このように構成されているため、レンズホルダ３０が遮光カバー２１の外に位置する時にも、スライドカバー３５によってハウジング２０外部からの不要光の侵入を遮断することができる。さらに、レンズホルダ３０をハウジング２０の閉塞端２４近傍まで移動させても、スライドカバー３５が閉塞端２４に当接することにより突出位置から元の位置に復帰する。即ち、それだけ、ハウジング２０を小さくすることが可能となる。
【００４２】
次に、本発明の変倍光学装置の第２の実施形態について、図６と図７を参照して説明する。
図６は、変倍光学装置の第２の実施形態を示す斜視図である。図６に示すように、レンズホルダ１３０の上部には、本体１３１に対し図中光軸方向奥側に向けて所定量突出する延長部１３９が形成されている。さらに、延長部１３９において光軸方向に直交する方向の両端には、第１の実施形態と同様の保持部材３７が立設され、この保持部材３７によってスライドカバー１３５が光軸方向に移動可能に保持される。
【００４３】
第１の実施形態と同様、スライドカバー１３５の図中光軸方向奥側の端部は、上方に向けて屈曲され当接部１３８となっている。また、開口２２の上端を規定する遮光カバー２１の端縁の、当接部１３８に対応する箇所には、開口内に向けて突出する板状片である被当接部２５が設けられている。
【００４４】
図７に、変倍光学装置の第２の実施形態の作動を示す。図７に示すように、拡大倍率２．０倍の時には、レンズホルダ１３０が開口２２から外に移動する際に、スライドカバー１３５の当接部１３８が被当接部２５に当接し、スライドカバー１３５はレンズホルダ１３０の上面１３６から閉塞端２４に向けて突出した状態となるため、レンズホルダ１３０とハウジング２０との間の隙間は、スライドカバー１３５と延長部１３９によって塞がれる。
【００４５】
さらに、拡大倍率が０．５倍の時には、スライドカバー１３５の当接部１３８はハウジング２０の閉塞端２４に当接し、スライドカバー１３５は、突出位置からレンズホルダ１３０の上面１３６上に押し戻される。この場合も、ハウジング２０内に位置するレンズホルダ１３０が不要光の侵入を遮断する。
【００４６】
第２の実施形態では、第１の実施形態と比較して、レンズホルダ３０に延長部１３９が形成されており、スライドカバー１３５と延長部１３９によってレンズホルダ１３０とハウジング２０との間の隙間を塞ぐよう構成しているため、スライドカバー１３５自体を小さく構成することができる。
【００４７】
次に、本発明の変倍光学装置の第３の実施形態について、図８及び図９を参照して説明する。
図８は、変倍光学装置の第３の実施形態を示す斜視図である。図８に示すように、レンズホルダ２３０の上面２３６の図中光軸方向奥側の端部には、上方に突出する当接部２２５が形成されている。一方、遮光カバー２１の下部には、スライドカバー２３５と、スライドカバー２３５を光軸方向に移動可能に保持するスロット部２３７が設けられている。また、スライドカバー２３５の図中手前側の端部は、下方に向けて屈曲され被当接部２３８を形成している。
【００４８】
図９に変倍光学装置の第３の実施形態の作動を示す。図９に示すように、拡大倍率２．０倍の時には、レンズホルダ２３０が遮光カバー２１から外に移動する際に、レンズホルダ２３０の当接部２２５がスライドカバー２３５の被当接部２３８に当接し、スライドカバー２３５はスロット部２３７から引き出される。この状態で、レンズホルダ２３０と遮光カバー２１との間の隙間は、スライドカバー２３５によって塞がれる。
【００４９】
拡大倍率が１．０倍あるいは０．５倍の時には、当接部２２５は被当接部２３８から離れている。ここで、原稿としてＡ３用紙を使用した場合等、図１に示すように、中間ミラー部６がハウジング２０の開口２２に接近すると、中間ミラー部６がスライドカバー２３５に当接してこれをスロット部２３７に押し込む。
【００５０】
つまり、第１及び第２の実施形態では、突出したスライドカバーがハウジング２０の閉塞端２４に当接することによって元の位置に押し戻されたが、第３の実施形態では、スライドカバー２３５は中間ミラー部６に当接して元の位置に押し戻される。
このように、この第３の実施の形態によると、第１及び第２の実施形態と比較して、移動するレンズホルダ２３０ではなく、固定されている遮光カバー２１にスライドカバー２３５が設けられているため、構成がさらに簡単になる。
【００５１】
次に、本発明の変倍光学装置の第４の実施形態について、図１０及び図１１を参照して説明する。
図１０は、変倍光学装置の第４の実施形態を示す斜視図である。図１０に示すように、遮光カバー２１の下部には第３の実施形態と同様のスロット部２３７が設けられ、スロット部２３７にはスライドカバー３３５が移動可能に保持されている。そして、スライドカバー３３５の図中手前側の端部は、下方に向けて屈曲されて被当接部３３８を形成している。この被当接部３３８の長さはレンズホルダ３３０の前面にかかる程度に設定されている。
【００５２】
図１１に変倍光学装置の第４の実施形態の作動を示す。図１１に示すように、拡大倍率２．０倍の時には、レンズホルダ３３０が遮光カバー２１から外に移動する際に、レンズホルダ３３０の前面がスライドカバー３３５の被当接部３３８に当接し、スライドカバー３３５がスロット部２３７から引き出される。この状態で、レンズホルダ３３０と遮光カバー２１との間の隙間は、スライドカバー３３５によって塞がれる。
【００５３】
また、第３の実施の形態と同様、拡大倍率が１．０倍あるいは０．５倍の時には、スライドカバー２３５は中間ミラー部６に当接されることによってスロット部２３７に押し込まれる。
このように、この第４の実施形態によると、レンズホルダ３０には特別な構成を加える必要が無いため、レンズホルダ３０自体の構成が極めて簡単になる。
【００５４】
【発明の効果】
以上説明したように、本発明の変倍光学装置によると、レンズホルダが拡大倍率の位置にある時には、レンズホルダち遮光カバーとの間に形成される隙間からの不要光の侵入を、スライドカバーによって遮断することができる。さらに、スライドカバーがレンズホルダの移動に合わせてスライドするため、レンズホルダを縮小倍率の位置まで移動させた際の、スライドカバーとハウジングの壁等との干渉が防止される。即ち、ハウジングをそれだけコンパクトに構成することが可能となる。
【図面の簡単な説明】
【図１】本発明に係る変倍光学装置の基本構成を示す図である。
【図２】図１の変倍光学装置のハウジングを示す図である。
【図３】本発明の変倍光学装置の第１の実施形態の変倍光学装置の平面図である。
【図４】図３の実施形態の変倍光学装置の斜視図である。
【図５】図３の実施形態の変倍光学装置の作動を示す概略図である。
【図６】本発明の変倍光学装置の第２の実施形態の変倍光学装置の斜視図である。
【図７】図６の実施形態の変倍光学装置の作動を示す概略図である。
【図８】本発明の変倍光学装置の第３の実施形態の変倍光学装置の斜視図である。
【図９】図８の実施形態の変倍光学装置の作動を示す概略図である。
【図１０】本発明の変倍光学装置の第４の実施形態の変倍光学装置の斜視図である。
【図１１】図１０の実施形態の変倍光学装置の作動を示す概略図である。
【図１２】変倍光学装置の基本構成の一例を示す概略図である。
【符号の説明】
３            レンズ
６            中間ミラー部
１１，１３    ミラー
１２          ミラー部
２０          ハウジング
２１          遮光カバー
２２          開口
２３          支持基板
２４          閉塞端
２５          被当接部
３０          レンズホルダ
３５          スライドカバー
３６          上面
３７          保持部材
３８          当接部
４０          ミラーホルダ
５０          レンズ駆動機構
６０          ミラー駆動機構
１３０        レンズホルダ
１３５        スライドカバー
１３８        当接部
１３９        延長部
２２５        当接部
２３０        レンズホルダ
２３５        スライドカバー
２３７        スロット部
２３８        被当接部
３３０        レンズホルダ
３３５        スライドカバー
３３８        被当接部
【図１】
0003713104.tif 000002
【図２】
0003713104.tif 000003
【図３】
0003713104.tif 000004
【図４】
0003713104.tif 000005
【図５】
0003713104.tif 000006
【図６】
0003713104.tif 000007
【図７】
0003713104.tif 000008
【図８】
0003713104.tif 000009
【図９】
0003713104.tif 000010
【図１０】
0003713104.tif 000011
【図１１】
0003713104.tif 000012
【図１２】
0003713104.tif 000013